(57)【特許請求の範囲】
【請求項１】
所定の表示器と導光板を備える遊技機において、
前記表示器は、前方から照射された光を視認可能に反射する表示面を有し、
前記導光板は、筒体からなり、前記表示面の周囲を覆うように設けられ、後方から入射された光を前方に導き、前方の端部が、当該端部に導かれた光を前方に出射するとともに、前記表示面の所定領域に対し前方から照射するように、前記表示面側に突出した形状からなる
ことを特徴とする遊技機。
【請求項２】
前記表示面は、所定の遮光効果を有する遮光面からなる
ことを特徴とする請求項１記載の遊技機。
【請求項３】
前記導光板の側部は、少なくとも前記表示面側である前記筒体の内側が、所定の遮蔽部材によって覆われている
ことを特徴とする請求項１又は２記載の遊技機。
【請求項４】
前記表示面の所定領域に対し前方から照射されることで前記表示面に第１の発光領域を形成し、前記導光板の前方の端部から前方に出射されることで当該導光板の前方に第２の発光領域を形成し、
前記第１の発光領域の形状と前記第２の発光領域の形状とが相似形である
ことを特徴とする請求項１〜３のいずれか一項記載の遊技機。
【請求項５】
所定のデザインが施されたデザイン面が前記表示面に対し重なるように設けられ、
前記表示器は、前記デザイン面に光を照射することにより、前記表示面に、前記デザインを表示する
ことを特徴とする請求項１〜４のいずれか一項記載の遊技機。
【発明の詳細な説明】
【技術分野】
【０００１】
本発明は、奥行き感や立体感のある表示演出が可能な遊技機に関する。
【背景技術】
【０００２】
演出表示装置を備えたパチンコ機やスロットマシンなどの遊技機が知られている。
例えば、特許文献１には、一対の反射部材間に形成される光反射空間内に装飾体と光源とを配置することによって、奥行き感や立体感のある装飾体像を視認可能とする演出表示装置を備えた遊技機が提案されている。
【先行技術文献】
【特許文献】
【０００３】
【特許文献１】特開２０１０−１４８６８４号公報
【発明の概要】
【発明が解決しようとする課題】
【０００４】
ところが、このような従来の遊技機には、改善の余地があった。
【課題を解決するための手段】
【０００５】
上記課題を解決するため、本発明の遊技機は、所定の表示器と導光板を備える遊技機において、前記表示器は、前方から照射された光を視認可能に反射する表示面を有し、前記導光板は、筒体からなり、前記表示面を覆うようにその周囲に設けられ、後方から入射された光を前方に導き、前方の端部が、当該端部に導かれた光を前方に出射するとともに、前記表示面の所定領域に対し前方から照射するように、前記表示面側に突出した形状からなる構成としてある。
【図面の簡単な説明】
【０００６】
【図１】遊技機の外観を示す概略正面図である。
【図２】遊技機の内部構成を示す概略斜視図である。
【図３】遊技機の制御構成を示すブロック図である。
【図４】表示ユニットの図であり、（ａ）は平面図、（ｂ）は正面図、（ｃ）は右側面図である。
【図５】表示ユニット全体の分解斜視図である。
【図６】表示ユニットの一部の分解斜視図である。
【図７】図４（ｂ）に示す表示ユニットのＡ−Ａ断面図である。
【図８】表示ユニットの斜視図である。
【図９】他の実施形態に係る表示ユニットを示す図である。
【発明を実施するための形態】
【０００７】
本発明に係る遊技機の好ましい実施形態について、図１〜図８を参照して説明する。
【０００８】
スロットマシン１は、導光板及び表示器を備える遊技機の一例であり、従来のスロットマシンと同様に、複数のリール４１ａ，４１ｂ，４１ｃを回転させることによって遊技媒体であるメダルを獲得することができる回胴式遊技機を構成している。
【０００９】
具体的には、スロットマシン１は、筐体１ｂと、筐体１ｂ前面側を覆う前扉１ａとから構成されている。
前扉１ａは、図１、図２に示すように、スロットマシン１の筐体１ｂにヒンジ等を介して開閉可能に取り付けられる扉体で、この正面には、前面パネルＰや遊技者に操作される複数の操作手段などが設けられている。
【００１０】
例えば、操作手段として、機内にメダルを投入するためのメダル投入口２が設けられ、所定数（例えば、３枚）のメダルがメダル投入口２から投入されることで、メダル投入口２と連通するメダルセレクタ２ｂによってメダルが検出され、ゲーム開始可能な状態となる。
【００１１】
また、押下操作可能なベットボタン２ａ（例えば、マックスベットボタン）が設けられ、操作に応じて内部的に記憶したクレジットメダルからデータ形式のメダルをゲームに投入することもできる。
【００１２】
また、リール４１ａ，４１ｂ，４１ｃの回転を始動させるスタートレバー３が設けられ、ゲーム開始可能な状態において遊技者により操作されることで、スロットマシン遊技が開始され、リール４１ａ，４１ｂ，４１ｃが回転を開始する。
【００１３】
また、各リール４１に対応して停止ボタン５ａ，５ｂ，５ｃが設けられており、遊技者により各停止ボタン５が押下操作されることで、回転している各リール４１を停止させることができる。
【００１４】
前扉１ａには、操作手段の他にも様々な装置が設けられ、例えば、停止状態にある各リール４１に表された縦方向に連続する３つの図柄が視認可能な表示窓６、メダルが払い出されるメダル払出口７ｂなどが設けられている。
また、所定の画像情報を表示する表示ユニット８、ＬＥＤ等の発光手段を備えるランプ１１が設けられている。
さらに、前扉１ａには、所定の音声を出力するスピーカ９なども設けられている。
【００１５】
一方、筐体１ｂは、筐体構造を有し、スロットマシン遊技に必要な様々な機械、装置などが収納されている。
【００１６】
例えば、リール４１ａ，４１ｂ，４１ｃ、各リール４１を回転させる図示しないステッピングモータ及び回転位置を検出するセンサなどを備えるドラムユニット４が設けられている。
また、メダルの貯留・払い出し行うメダル払出装置７が設けられ、払い出されたメダルはメダル払出口７ｂを介して遊技者に提供される。
また、メダル払出装置７には、メダルを貯留するホッパー７ａが設けられ、メダル投入口２より投入されたメダルがメダルセレクタ２ｂを介してホッパー７ａに誘導される。
【００１７】
また、筐体１ｂには、スタートレバー３、停止ボタン５などの操作手段からの操作信号に基づいて、ドラムユニット４、メダル払出装置７などの各装置を制御することでスロットマシン遊技を実行可能な主制御部１０が設けられている（図３参照）。
主制御部１０は、ＣＰＵなどを備えるコンピュータとして構成され、例えば、ゲーム開始可能な状態において、スタートレバー３に対する操作を検知すると、各リール４１の回転を開始させる。
また、これと同時に、再遊技役、小役、ボーナスなどの当選役を抽選により決定する内部抽選処理を実行し、各リール４１の回転中において、各停止ボタン５に対する押下操作を検知すると、抽選結果に対応した図柄の組合せで停止するよう、回転している各リール４１の停止制御を行う。
主制御部１０は、停止した各リール４１に表された縦方向に連続する３つの図柄の組合せを判定し、小役に対応する図柄の組合せでの停止を判定したときには、所定数のメダルを払い出すようにメダル払出装置７を制御する。
【００１８】
前扉１ａには、スロットマシン遊技に同期した演出を実行可能な副制御部２０が設けられている。
副制御部２０は、主制御部１０と同様にＣＰＵなどを備えるコンピュータとして構成され、主制御部１０から送信される制御コマンドに基づいて表示ユニット８、スピーカ９、ランプ１１などの演出出力手段を制御して（図３参照）、スロットマシン遊技に同期した演出を行わせる。例えば、主制御部１０からボーナスの当選を示す制御コマンドを受信すると、表示ユニット８を制御して所定の絵柄（デザイン）を表示させる。
このような構成を有するスロットマシン１は、図４〜図８に示すように、所定の表示器と導光板を有する表示装置として表示ユニット８を備えている。
【００１９】
［表示ユニット］
表示ユニット８は、図１、２に示すように、前方（遊技者側）を臨むように前扉１ａの裏面側に配置され、スロットマシン遊技に関する所定の画像情報を表示する。
このような表示ユニット８は、複数の部材から構成され、例えば、図５，６に示すように、後方部材８１、後部ＬＥＤ基板８１１、拡散シート８２、デザインシート８３、ベース部材８４、前部ＬＥＤ基板８５、側部ＬＥＤ基板８６、導光板収容部材８７１、透明板８７２、筒状導光板８７３、中間部材８７４、装飾部材８７５などを備えている。
このうち、後方部材８１、後部ＬＥＤ基板８１１、拡散シート８２、及びデザインシート８３からなる構造物が本発明の表示器８０に相当する。
【００２０】
後方部材８１は、後部ＬＥＤ基板８１１，拡散シート８２，デザインシート８３を収容可能な皿状の収容部である。
後部ＬＥＤ基板８１１は、後方部材８１の底面に設けられ、発光方向が前方を向くＬＥＤ８１２を実装している。ＬＥＤ８１２は、デザインシート８３に施されているデザイン８３３の形状や大きさに合わせて実装され、デザイン８３３を後方から照射するバックライト（光源）として用いられる。
【００２１】
拡散シート８２は、光を拡散させるための所定の処理（例えば、凹凸加工等）が施されたシート状の部材であり、後部ＬＥＤ基板８１１とデザインシート８３の間に配置している。
これにより、ＬＥＤ８１２から出射された光が拡散シート８２によって拡散され、デザインシート８３の裏面が均一に照射されるようにしている。
【００２２】
デザインシート８３は、所定のデザインが施されているシート状の部材である。
本実施形態のデザインシート８３は、表面（表示面８３１）が所定の遮光効果を有する遮光面からなり、裏面が所定の絵柄（デザイン）８３３が施されたデザイン面からなる。
表示面８３１は、例えば、スモークフィルム等を施すことで可視光線の透過を遮る遮光面を構成している。裏面には、シルクスクリーン印刷によって絵柄８３３が印刷されており、絵柄８３３以外の部分は、光の反射率が高い白色の塗料を塗布している。
また、デザインシート８３は、表面（遮光面）が、画像情報を表示可能な表示面８３１を構成する。表示面８３１の前方には、その周囲を覆うように円筒状の部材（後記導光板演出部８７）が設けられており、遊技者は、この部材の内部空間を通して表示面８３１を正面から視認できるようにしている。
【００２３】
このような構成からなる表示器８０によっては、通常の状態（ＬＥＤ８１２やＬＥＤ８５１等を発光させていない状態）では、デザインシート８３の遮光機能によってデザインシート８３の後方は隠蔽されることから、表示面８３１は何も表示されない。
ここで、ＬＥＤ８１２を発光させると、デザインシート８３の裏面８３２が均一に照射され、絵柄８３３を照射する光のみが透過し、絵柄８３３以外の部分は光が反射されて透過しない。
このため、それまでは何も表示されていない表示面８３１上に絵柄８３３が突然表示される。
また、絵柄８３３以外の部分は表示されないため、絵柄８３３のみを明瞭に表示させることができる。
さらに、表示面８３１の周囲は、後記導光板演出部８７によって暗くなるようにしているため、絵柄８３３が浮き上がったように立体的に見せることができる。
【００２４】
このような表示器８０の前側にはベース部材８４が設けられており、ベース部材８４の前側には導光板演出部８７が設けられている。
【００２５】
ベース部材８４は、導光板演出部８７と表示器８０の間に設けられる部材であり、左右に設けた取り付け片によって、スロットマシン１（前扉１ａ）の図示しない枠体に取り付けることができる。
ベース部材８４は、規定の形状や大きさで形成され、これにより、様々な機種のスロットマシンに取付けることができるようにしている。すなわち、規定の枠体を備えるスロットマシンには、機種を問わず共通に取り付けることができる汎用性を有している。
ベース部材８４は、中央部分に開口部８４１を設けている。開口部８４１は、表示面８３１に対応して円形に開口されている。
【００２６】
ベース部材８４には、前部ＬＥＤ基板８５や側部ＬＥＤ基板８６が取り付けられている。
前部ＬＥＤ基板８５には、開口部８４１の周囲に沿って複数のＬＥＤ８５１がリング状に配列されている。ＬＥＤ８５１は、筒状導光板８７３の後方の端面に対向して配置され（図７参照）、導光板演出部８７による発光演出の光源として用いられる。
また、前部ＬＥＤ基板８５には、ＬＥＤ８５１以外にもＬＥＤ８５３が実装されており、側部ＬＥＤ基板８６には、ＬＥＤ８５２が実装されている。
これらのＬＥＤ８５２，８５３は、様々な用途（例えば、前面パネルＰに描かれた絵柄を表示するための光源など）に用いられる。
【００２７】
図５，６に示すように、導光板演出部８７は、導光板収容部材８７１、透明板８７２、筒状導光板８７３、中間部材８７４、装飾部材８７５によって構成される。
【００２８】
導光板収容部材８７１は、異なる外径の筒体を重ねた構造からなり、これら筒体の側面に相当する内側壁部８７１ａと外側壁部８７１ｂとの間に、筒状導光板８７３を収容可能な空間を形成している。このような構造の導光板収容部材８７１によれば、筒状導光板８７３を収容することで、筒状導光板８７３の側部が内側壁部８７１ａ及び外側壁部８７１ｂによって遮蔽される。これにより、筒状導光板８７３の両側面から出射される光を遮光することができる。
内側壁部８７１ａの内面は、塗装等によって黒色に施しており、これにより、室内灯等からの光を遮断・吸収させ、内部空間を暗くしている。
また、内側壁部８７１ａの外面と外側壁部８７１ｂの内面は白色であることから、筒状導光板８７３の内部を伝播する光のうち、側部から外部に出射しようとする光を反射し、伝播効率を高めることができる。
【００２９】
透明板８７２は、例えば、透明のアクリル板からなり、導光板収容部材８７１（内側壁部８７１ａ）の前部周縁部に載置されて表示ユニット８の表示窓を構成する。
筒状導光板８７３は、公知の導光板を円筒状に形成したものであり、導光板収容部材８７１の内部に収容される。
筒状導光板８７３は、導光板収容部材８７１に収容することで、前方と後方にリング状の端部が配置され、後方の端面ａから入射させた光が、内部を通じて前方に伝播するようにしている。
本実施形態の筒状導光板８７３は、前方端部８７３ａがやや内側に突出しており、後方端面ａのリングに比べ、前方端面ｂのリングが幅広な形状としている（図７参照）。
また、筒状導光板８７３は、例えば、白色半透明の導光板からなり、内部を伝播する光の一部が拡散又は散乱されるようにしている。
中間部材８７４は、導光板収容部材８７１と装飾部材８７５の間に設けられた樹脂部材である。
【００３０】
装飾部材８７５は、中間部材８７４に重ねることで、表示ユニット８の最前部に配置される。本実施形態の装飾部材８７５は、黄色半透明の樹脂部材を王冠状に形成しており、裏面に銀メッキ塗装（例えば、高輝度シルバー塗装）を施している。このようにすると、装飾部材８７５が、裏面の銀色と部材の黄色が足され、金色に輝く王冠のように見せることができる。また、いたずら等によって塗装がはがされることを防ぐことができる。
装飾部材８７５の裏面の銀メッキ塗装に際しては、反射効果の高い白色の下地塗装を施しており、意図しない光によって装飾部材８７５に不自然な映り込みが生じないようにしている。
例えば、表示ユニット８は、図１に示すように、リール４１の絵柄を表示可能な表示窓６の真上に配置されていることから、いわゆるナビランプの光源等（ＬＥＤ８５３等）が装飾部材８７５の周囲後方に配置されることがある。
この場合、ナビランプが起動されるたびに、光源から出射された光が装飾部材８７５の後方等から照射し、不自然に発光させることがある。
そこで、特に、このように、ＬＥＤ８５１以外の光源が実装されている付近については、装飾部材８７５の裏面の下地塗装や銀メッキ塗装を濃く施すことによって、装飾部材８７５において生ずる不自然な光の映り込みを、より効果的に防止できるようにしている。
【００３１】
このような構造からなる表示ユニット８における表示演出について説明する。
図７に示すように、本実施形態の表示ユニット８は、表示器８０の前方に、導光板演出部８７を配置して構成される。
このような導光板演出部８７においては、前部ＬＥＤ基板８５に実装されたＬＥＤ８５３が筒状導光板８７３の後方端面ａに対向して配置されている。
【００３２】
ここで、ＬＥＤ８５３を発光させると、ＬＥＤ８５３から出射された光が筒状導光板８７３の後方端面ａから入射し、導光板内部を両側面の境界面で全反射を繰り返しながら前方に伝播する。
前方端部８７３ａに光が到達すると、一部は前方端面ｂから前方に向けて出射される。
これにより、遊技者は、前方端面ｂの形状に対応したリング状の発光領域（前方リングＡという）を視認することができる（図８参照）。
【００３３】
また、前方端部８７３ａに到達した光の一部は、前方端面ｂにおける反射のほか、拡散や散乱等によって、内側に突出した部分に到達する。これにより前方端部８７３ａの内部から外部に光が出射され、このうち、特に、裏面ｃから後方に向かって出射された光が表示面８３１の所定領域ｄを照射し、その反射光を遊技者が視認する。
これにより、遊技者は、前方端部８７３ａの突出した部分（特に裏面ｃ）の形状に対応したリング状の発光領域（後方リングＢという）を、表示面８３１上において視認することができる（図８参照）。
【００３４】
ここで、表示面８３１は遮光処理が施され、導光板収容部材８７１の内側壁部８７１ａの内側は黒色に施されており、これにより、内部空間が暗くなるようにしている。このため、後方リングＢは、真っ暗な空間の中に浮かび上がっているように見える。
また、前方リングＡが発光表示される前方端面ｂよりも相当距離後方の表示面８３１において、これと相似形の後方リングＢが発光されていることから、これらの距離感に基づいて、後方リングＢを奥行き感や立体感があるように見せることができる。
また、例えば、表示面８３１を真正面から見たときと、表示面８３１をやや右側から見たときとでは、前方リングＡによる後方リングＢの隠蔽領域も変化するため、このようなリングの相対的な見え方によっても奥行き感や立体感を感じさせることができる。
加えて、表示器８０におけるＬＥＤ８１２を発光させることで、デザインシート８３に描かれた絵柄８３３を表示面８３１に表示させるとともに、絵柄８３３を、前方リングＡや後方リングＢに囲まれるように表示させることができる。
これにより、絵柄８３３は、暗い空間に浮かび上がるように、かつ、奥行き感のあるリングの中に表示されることから、絵柄８３３をより際立たせて見せる表示演出が可能となる。
【００３５】
このような構成の表示ユニット８は、副制御部２０により制御されて以下のように動作する。
具体的には、再遊技役、小役、ボーナスなどの当選役を抽選により決定する内部抽選処理の結果に基づいて様々な演出を行うことができる。
例えば、ボーナスに当選したときには、後部ＬＥＤ基板８１１に実装されているＬＥＤ８１２を発光させることで、表示面８３１に絵柄８３３を表示させる演出による告知が可能である。
これにより、それまでは何もない暗い内部空間の中に突然絵柄８３３が浮かび上がるように表示され、遊技者に対し、驚きを伴うボーナス当選の告知を行うことができる。
【００３６】
また、前部ＬＥＤ基板８５に実装されているＬＥＤ８５１を発光させることで、前方リングＡや後方リングＢを表示させることができる。
これにより、奥行き感や立体感を伴う表示演出による特徴的な告知が可能となる。
このとき、前方リングＡや後方リングＢを、絵柄８３３等の表示と同期又は独立して発光させることによって、ボーナス当選時の告知態様にバリエーションを加えることができる。
このような特徴的な告知を行うことで、遊技者の興趣を高めることができる。
なお、ボーナス当選時に、上記表示演出とともに、ＬＥＤ８５２を発光させて前面パネルＰの絵柄を発光させる告知も可能である。
【００３７】
ところで、表示面８３１に表示される絵柄８３３や後方リングＢは、表示面８３１が導光板演出部８７の内部空間の奥に配置され、内部空間の周りは各部材により囲まれていることから、周囲の他の遊技者等からは視認しにくい。
このため、ボーナス当選時には、ＬＥＤ８５２による前面パネルＰを発光する表示演出を行わないように制御することで、他の遊技者等にはボーナス当選を知られず、遊技者にのみボーナス当選を知らせる告知態様が可能である。
また、告知態様を遊技者が選択できるように制御することができる。
例えば、遊技者のボタン操作等によって、遊技者に対してのみボーナス当選を告知する設定（ＬＥＤ８５１のみ発光させる設定）と、遊技者を含め他の遊技者等によってもボーナス当選を知らせる設定（ＬＥＤ８５１やＬＥＤ８５３を発光させる設定）を、選択できるようにすることができる。
このようにすることで、遊技者は、自身の好みに合った告知態様に基づいて遊技を行うことができる。
【００３８】
［他の実施形態］
図９は、本発明の他の実施形態に係る表示ユニットを示す図である。
図９（ａ）に示すように、筒状導光板８７３の後方端面ａから入射されたＬＥＤ８５１からの光が、導光板内部を前方端部８７３ａに向かって伝播し、そのうち、前方端部８７３ａに到達した光の一部が前方端面ｂから前方に出射される点で共通する。
ただし、図９（ａ）に示すように、本実施形態に係る表示ユニット８は、筒状導光板８７３の前方端部８７３ａにおいて、当該前方端部８７３ａの突出部分を覆う遮蔽部材８７３ｂを設けている点で上述の実施形態と異なる。
このような表示ユニット８によれば、前方端面ｂによる反射や、拡散，散乱によって、前方端部８７３ａの突出した部分に光が伝播されても、そこから光が外部に出射されない。
そうすると、前方端部８７３ａの裏面ｃから後方に向かって光は出射されず、表示面８３１において発光領域を形成しない。
このため、図９（ｂ）に示すように、前方リングＡは、視認可能に発光されるが、表示面８３１には後方リングＢが視認可能に発光されない。
したがって、本実施形態の表示ユニット８によれば、真っ暗な空間の中に絵柄８３３のみが表示され、他は表示されないため、絵柄８３３を、よりくっきりと鮮明に見せる表示演出が可能となる。
【００３９】
以上説明したように、本実施形態のスロットマシン１は、表示器と導光板を備えた表示ユニット８によって、絵柄を浮き上がらせるような立体間のある表示や奥行き感のある表示を行うことができ、絵柄を際立たせて表示することができるので、遊技演出の幅を広げ、遊技者の興趣をより高めることができる。
【００４０】
一方、従来のスロットマシンでは、本実施形態の絵柄が浮き上がったり、際立たせる表示ができず、興趣に欠けていた。
本実施形態のスロットマシン１によれば、従来のスロットマシンが改善すべきこのような課題の全部又は一部などを解決することができる。
【００４１】
以上、本発明の遊技機の好ましい実施形態について説明したが、本発明に係る遊技機は上述した実施形態にのみ限定されるものではなく、本発明の範囲で種々の変更実施が可能であることはいうまでもない。
【００４２】
例えば、上述の実施形態では、円筒状の導光板を用いたが、角筒状や他の形状の筒状からなる導光板を用いることができ、また、筒状に限るものではない。
また、後方部材８１、後部ＬＥＤ基板８１１，拡散シート８２，デザインシート８３の組合せからなる構造物を、表示器８０としたが、液晶ＴＶやリール４１を表示器８０とすることもできる。
また、デザインシート８３は、表面８３１と裏面８３２に遮光面とデザイン面とを設けた１枚のシート部材により構成される例について説明したが、遮光機能を有するシート部材とデザインが施されたシート部材をそれぞれ１枚ずつ用意し、これらを重ねて配置する構成であってもよい。
【００４３】
また、本実施形態では、本発明をスロットマシンに適用したがパチンコ（例えば、玉スロ）などその他の遊技機に適用することもできる。
また、メダル、遊技球等の現物の遊技媒体を用いることなく、データ形式の擬似遊技媒体を用いてゲームを実行可能な、いわゆる封入式遊技機にも、本発明を適用することができる。
【００４４】
また、上述の実施形態では、ＬＥＤ８５１は導光板演出部８７の光源として用いられ、他のＬＥＤ８５２，８５３は、他の用途に用いられるが、これら各ＬＥＤの役割を変えることもできる。
例えば、側部に導光板等の被照射体（演出部材）を設ける場合には、側部ＬＥＤ基板８６に実装されているＬＥＤ８５２を光源とし、ボーナス当選時の告知に用いることができる。
すなわち、図５に示すように、ＬＥＤをベース部材８４の様々な位置に配置しておくことで、被照射体（演出部材）を取り替えるだけで演出態様を容易に変えることができる。
これにより、演出態様を変えるたびにＬＥＤの配置を変更したり、実装する手間を省くことができ、また、表示ユニット８の汎用性を高めることができる。
【００４５】
また、前面パネルＰは、表示ユニット８の形状に合わせて円形に開口部を設けているが、この前面パネルＰの開口部周縁を導電性の塗料を塗布し、この塗布面にアース線を接続することもできる。
このようにすると、例えば、いたずらや不正の目的で表示ユニット８の近くに静電気が発生したとしても、その静電気に起因するノイズ電流を大地に逃がすことができる。
これにより、表示ユニット８や前面パネルＰを介してノイズ電流が制御回路等に流れることを防ぐことができ、不正な遊技動作を防止することができる。
【符号の説明】
【００４６】
１  スロットマシン
８  表示ユニット
Ｐ  前面パネル
８０  表示器
８３  デザインシート
８３３  絵柄（デザイン）
８３１  表示面（遮光面）
８１２，８５１，８５２，８５３  ＬＥＤ
８７  導光板演出部
８７１  導光板収容部
８７１ａ  内側壁部
８７１ｂ  外側壁部
８７３  筒状導光板
８７３ａ  前方端部
ａ  筒状導光板の後方端面
ｂ  筒状導光板の前方端面
ｃ  筒状導光板の前方端部の裏面
ｄ  表示面の所定領域
【図１】
0006712692.tif 000002
【図２】
0006712692.tif 000003
【図３】
0006712692.tif 000004
【図４】
0006712692.tif 000005
【図５】
0006712692.tif 000006
【図６】
0006712692.tif 000007
【図７】
0006712692.tif 000008
【図８】
0006712692.tif 000009
【図９】
0006712692.tif 000010